(57)【特許請求の範囲】
【請求項１】
製氷装置を備えた冷蔵庫であって、
前記製氷装置は貯水タンクと製氷皿と貯氷容器と、製氷皿を反転して捻ることにより製氷された氷を貯氷容器に落下させる離氷装置を有し、
前記貯氷容器は、前記氷が落下する部位において冷蔵庫本体の奥側から手前側に向けて下向する方向に傾斜した底面と、該底面の裏側に補強リブを設けた底部を備え、
前記補強リブは、前記底面の裏側の周囲に突出する枠リブと、該枠リブの左右を連結する横桟リブとを有し、
前記横桟リブは、前記底部の傾斜部の奥側から手前側に向けて複数設けられ、前記氷が落下する部位によって共振周波数をばらつかせたことを特徴とする冷蔵庫。
【請求項２】
前記複数の横桟リブは、その高さが奥側に向かうにつれて高くなっていることを特徴とする請求項１に記載の冷蔵庫。
【請求項３】
前記複数の横桟リブは、前記底部の傾斜部の奥側から手前側に向けて間隔を変えて複数設けられていることを特徴とする請求項１または２に記載の冷蔵庫。
【請求項４】
製氷装置を備えた冷蔵庫であって、
前記製氷装置は貯水タンクと製氷皿と貯氷容器と、製氷皿を反転して捻ることにより製氷された氷を貯氷容器に落下させる離氷装置を有し、
前記貯氷容器は、冷蔵庫本体の奥側から手前側に向けて下向する方向に傾斜した底面と、該底面の裏側に補強リブを設けた底部を備え、
前記底面部の厚みを変えて、奥側で厚く手前側で薄くしていることを特徴とする冷蔵庫。
【発明の詳細な説明】
【技術分野】
【０００１】
本発明は、製氷装置を備えた冷蔵庫に関する。
【背景技術】
【０００２】
従来、冷蔵庫は、食料や飲料などを低温で貯蔵する冷蔵室や、食料を冷凍保存したり冷凍食品などを貯蔵したりするための冷凍室、および、肉類や魚介類などの生鮮食品を冷蔵温度よりも低い温度で貯蔵するチルド室などの複数の貯蔵室が設けられている。
【０００３】
また、製氷装置を備えた冷蔵庫が既に知られている。従来の製氷装置は、冷蔵室に配設する貯水タンクと、製氷室に配設する製氷皿と貯氷容器を備えており、貯水タンクから製氷皿に給水して製氷した後、製氷皿を上下逆に反転して捻ることにより、製氷された氷を貯氷容器に落下させている。
【０００４】
製氷皿の氷を貯氷容器に落下させる際に音が発生するので、貯氷容器の底面に防音シートを敷設して消音しているものがある。また、落下する氷を受ける貯氷容器の底面を弾性支持して消音しているものもある（例えば、特許文献１参照）。
【０００５】
また、製氷皿を左右に反転して氷を落下させる際に氷が落下する側の貯氷容器の底面部分を傾斜面とし、さらに防音シートを敷設して消音させるものも既に提案されている（例えば、特許文献２参照）。
【先行技術文献】
【特許文献】
【０００６】
【特許文献１】特開平９−１７８３１６号公報
【特許文献２】特開２００２−９００１５号公報
【発明の概要】
【発明が解決しようとする課題】
【０００７】
冷凍室や製氷室は一般に引出し式の扉を備えており、扉を前に引き出して貯氷容器に貯氷された氷を取り出して、氷を取り出した後、扉を押し込んで閉止する。このように貯氷容器を扉と共に前後に移動すると貯氷容器内の氷が貯氷容器の後方側に寄ってしまい、手前側には氷がないように見えて問題となる。
【０００８】
また、貯氷容器内の氷が貯氷容器の後方側に寄ってしまうと、氷が充分貯まっていない状態でも満氷を検知してしまい問題となる。貯氷容器内の貯氷量を大きくしたい場合には、貯氷容器の深さを深くすることが想定されるが、容器を深くすると製氷皿から落下する高さが高くなってしまい音が大きくなって問題となる。
【０００９】
そのため、製氷装置を備えた冷蔵庫は、十分な量の氷を貯氷でき、製氷皿から落下する際の音を小さくでき、さらに、貯氷された氷を確実に視認できることが望まれる。
【００１０】
そこで本発明は、上記問題点に鑑み、十分な量の氷を貯氷でき、製氷皿から落下する際の音を小さくできて、貯氷された氷を視認容易な貯氷容器を備えた冷蔵庫を提供することを目的とする。
【課題を解決するための手段】
【００１１】
上記目的を達成するために本発明は、製氷装置を備えた冷蔵庫であって、製氷装置は貯水タンクと製氷皿と貯氷容器と、製氷皿を反転して捻ることにより製氷された氷を貯氷容器に落下させる離氷装置を有し、前記貯氷容器は、冷蔵庫本体の奥側から手前側に向けて下向する方向に傾斜した底面と、該底面の裏側に補強リブを設けた底部を備えたことを特徴としている。
【００１２】
この構成によると、貯氷容器の底面が奥側が浅く手前側が深くなるように傾斜しているので、貯氷容器に落下する氷は、手前側に向かうようにバウンドする。すなわち、奥側の氷が手前側に跳ね返るので、手前側領域に落下する氷は、貯氷容器の底面には直接的には当接せずに奥側の氷に当接する可能性が大きくなって、大きな落下音は生じない構成となる。また、落下した氷は前側にバウンドするので、貯氷容器の前側に有効に貯氷されて、十分な貯氷量を発揮でき視認容易にもなる。また、底部に設ける補強リブを介して、底面の強度を高めると共に消音効果を発揮する。従って、本発明によれば、十分な量の氷を貯氷でき、製氷皿から落下する際の音を小さくできて、貯氷された氷を視認容易な貯氷容器を備えた冷蔵庫を得ることができる。
【００１３】
前記補強リブは、底面の裏側の周囲に突出する枠リブと、枠リブの左右を連結する横桟リブとを有することが好ましく、前記横桟リブは、前記底部の傾斜部の奥側から手前側に向けて複数設けられており、その高さが奥側に向かうにつれて高くなっていることが好ましい。
【００１４】
また、前記横桟リブは、前記底部の傾斜部の奥側から手前側に向けて間隔を変えて複数設けられていてもよく、前記底面部の厚みを変えて、奥側で厚く手前側で薄くしていてもよい。
【発明の効果】
【００１５】
本発明によれば、十分な量の氷を貯氷でき、製氷皿から落下する際の音を小さくできて、貯氷された氷を視認容易な貯氷容器を備えた冷蔵庫を得ることができる。
【図面の簡単な説明】
【００１６】
【図１】本発明に係る冷蔵庫の一例を示す概略正面図である。
【図２】本発明に係る冷蔵庫の一例を示す概略断面図であって図１のＡ−Ａ断面図である。
【図３】本発明に係る冷蔵庫が備える製氷装置の一例を示す概略説明図である。
【図４】本発明に係る冷蔵庫が備える貯氷容器の一例を示す側面図である。
【図５】貯氷容器の側面断面図である。
【図６】貯氷容器の正面断面図である。
【図７】貯氷容器の底面図である。
【図８】貯氷容器の要部拡大断面図である。
【発明を実施するための形態】
【００１７】
以下に本発明の実施形態を図面を参照して説明する。また、同一構成部材については同一の符号を用い、詳細な説明は適宜省略する。まず本実施形態に係る冷蔵庫の一例について、図１、図２、図３を用いて説明する。図１は、本発明の一実施形態の冷蔵庫１の概略正面図であり、図２は、概略断面図であって図１のＡ−Ａ断面図であり、図３は、製氷装置の一実施形態の概略説明図である。
【００１８】
図１、図２に示すように、本実施形態に係る冷蔵庫１は、断熱構造の冷蔵庫本体２を備え、冷蔵庫本体２内部に食品等の貯蔵室として上方から順に冷蔵室３、冷凍室４（第１冷凍室４Ａ、第２冷凍室４Ｂ、第３冷凍室４Ｃ）、および野菜室５を設けている。冷凍室４は、第１冷凍室４Ａ（製氷室）、第２冷凍室４Ｂ、第３冷凍室４Ｃの複数の冷凍室を備えており、各種の冷凍食品をそれぞれ区分けして貯蔵することが可能になっている。
【００１９】
冷蔵室３と冷凍室４との間は仕切り壁７によって仕切られ、冷凍室４と野菜室５との間も仕切り壁（不図示）によって仕切られている。各冷凍室間は冷気が循環する構成でよく、例えば、第１冷凍室４Ａと第２冷凍室４Ｂとの間には、冷気が流通可能な連通路を備えた仕切り部材８によって仕切られており、第２冷凍室４Ｂと第３冷凍室４Ｃとの間は冷気が流通可能な連通路を備えた仕切り部材９によって仕切られている。また、冷凍室間に仕切りを設けずに冷気が直接的に流通可能な構成でもよい。
【００２０】
冷蔵室３の前面は断熱構造の回動式の扉３ａ、３ｂにより開閉され、冷凍室４（第１冷凍室４Ａ、第２冷凍室４Ｂ、第３冷凍室４Ｃ）の前面は断熱構造の引き出し式の扉４Ａａ、４Ｂａ、４Ｃａによりそれぞれ開閉される。引出し式の扉は、それぞれの収納ケースと一体に構成され、冷凍室内部の側壁または下面側に設けられ、前後方向に摺動可能に構成される案内部材（不図示）が設けられており、これにより、扉と収納ケースとを一体に前後にスムーズにスライドさせることができる。
【００２１】
野菜室５の前面は断熱構造の引き出し式の扉５ａにより開閉され、扉５ａに着脱自在に収容ケースが装着されており、野菜室内部の側壁との間に設ける案内部材を介して、扉５ａと収容ケースとを一体に前後にスライドさせることができる。
【００２２】
冷蔵庫本体２の背面下部のコーナー部には機械室１０が形成され、ここに冷蔵庫１の各貯蔵室内を冷却するための冷媒を圧縮する圧縮機１１が配設されている。また、機械室１０の上方で冷凍室４の背面側の冷気通路内に冷却器１２が配設されている。
【００２３】
冷却器１２は、圧縮機１１で圧縮した冷媒を膨張させて周囲の空気から熱を奪い冷気を生成する。冷却器１２により生成された冷気は冷却器１２の上方に配設される送風ファン１３を介して冷気通路１６内を送給され各貯蔵室に供給される。また、冷却器１２の下方には冷却器１２の除霜を行う除霜装置１４が設けられており、除霜水を回収するドレンサポート１５が取り付けられている。
【００２４】
例えば、冷却器１２により生成された冷気は送風ファン１３を介して冷気流れＥ１として吐出され、第１冷凍室４Ａ、第２冷凍室４Ｂおよび第３冷凍室４Ｃに供給された後、戻り通路を経由して冷却器１２にもどる。また、冷蔵室用送風ファン（不図示）により、冷蔵室３の上方に送給され上方の吐出口から冷気流れＥ２として吐出される。
【００２５】
また、冷蔵室３からの戻り冷気を野菜室５に向けて送給する冷気通路を設けている。従って、冷却器１２により生成された冷気は冷却ファン（送風ファン１３）を介して冷凍室４および冷蔵室３に供給され、冷蔵室３に供給された冷気は冷気通路を介して野菜室５に送給される。
【００２６】
また、冷蔵庫１には製氷を行う製氷装置２０及び離氷装置２３が設けられる。製氷装置２０は冷蔵室３に配される貯水タンク２１と第１冷凍室４Ａ（製氷室）に配される製氷皿２５とを有している。離氷装置２３は製氷皿２５に連結され、製氷室に配される。また、製氷皿２５の下方には貯氷容器２７が配される。
【００２７】
断熱壁７上に配される貯水タンク２１は製氷用の水が貯水され、扉３ａの開閉によって冷蔵室３から着脱自在に配される。断熱壁７には貯水タンク２１の凍結を防止するタンクヒータ２１ａ（図３参照）が設けられる。また、断熱壁７には貯水タンク２１の着脱を検知するタンクスイッチ（不図示）が設けられる。
【００２８】
図３に示すように、製氷皿２５の上方には貯水タンク２１から導出される給水パイプ２２の開放端が配される。給水パイプ２２の経路上に設けられる給水ポンプ２２ａの駆動によって貯水タンク２１から製氷皿２５に給水される。給水パイプ２２には凍結を防止するパイプヒータ２２ｂが設けられる。
【００２９】
製氷皿２５は上面を開口する複数の製氷ポケット２５ａを有した可撓性部材から成り、製氷室内の冷気によって製氷ポケット２５ａに応じた形状の氷が製氷される。製氷ポケット２５ａの外面には製氷皿２５の温度を検知する温度センサ２５ｂが接して配される。温度センサ２５ｂは非接触のセンサ（例えば赤外線温度センサ等）でもよく、この場合温度センサは２５ｂが製氷皿２５から離れて配置されてもよい。また、製氷皿２５の底面に接して製氷ヒータ２６が設けられる。
【００３０】
離氷装置２３は製氷皿２５に連結される離氷モータ２４を備え、離氷モータ２４の駆動によって製氷皿２５が上面を下方に向けて捻られる。これにより、製氷皿２５に製氷された氷が離氷され、貯氷容器２７に貯氷される。また、離氷装置２３には貯氷容器２７が満量か否かを検知する検知レバー（不図示）が設けられる。
【００３１】
製氷皿２５の氷を貯氷容器２７に落下させる際には音が発生する。また、扉を開閉する際に前後に移動すると貯氷容器２７内の氷が貯氷容器２７の後方側に寄ってしまい、手前側には氷がないように見える。そこで、本実施形態の貯氷容器２７は、氷が落下する際の音を小さくでき、貯氷容器２７内に十分な氷を貯氷でき、貯氷容器２７内の氷が容易に視認できるようにしたものである。
【００３２】
次に、本実施形態に係る貯氷容器２７の各実施例について図４〜図７を用いて順に説明する。
【００３３】
〈実施例１〉
図４〜図６を用いて実施例１について説明する。実施例１の貯氷容器２７は、箱状の本体枠２７ａと冷蔵庫本体の奥側から手前側に向けて下向する方向に傾斜した底面２７ｂと、該底面の裏側に補強リブＲを設けた底部２７ｃを備えている。また、貯氷容器２７は、手前側にスプーンなどを収容するスペース２７ｅを区画する仕切壁２７ｄを備えていてもよい。
【００３４】
上記したように、本実施形態に係る貯氷容器２７は、製氷皿２５の氷が落下する部位が、手前側に向けて下向する方向に傾斜した底面２７ｂを備える。この構成であれば、貯氷容器２７に落下する氷は、手前側に向かうようにバウンドする。すなわち、奥側の氷が手前側に跳ね返るので、手前側に落下する氷は、貯氷容器２７の底面２７ｂには直接的には当接せずに奥側の氷に当接する可能性が大きくなって、大きな落下音すなわち衝撃音は生じない構成となる。
【００３５】
また、落下した氷は手前側にバウンドするので、貯氷容器２７の前側に貯氷され易くなって、十分な貯氷量を発揮でき視認容易にもなる。また、扉の開閉操作を行っても奥側に移動し難くなって視認性を悪化しないようにできる。さらに、底部２７ｃに設ける補強リブＲ（Ｒａ、Ｒｂ）を介して、底面２７ｂの剛性を上げて強度を高めると共に消音効果を発揮する。従って、本実施形態によれば、十分な量の氷を貯氷でき、製氷皿２５から落下する際の音を小さくできて、貯氷された氷を視認容易な貯氷容器２７を備えた冷蔵庫１を得ることができる。
【００３６】
従って、本実施形態における底面２７ｂの傾斜の程度は、貯氷量を大きく損ねることなく落下する氷が手前側にバウンドし易い角度であり、扉の開け閉め時に奥側に移動し難い角度であることが好ましく、例えば、長さ３２０ｍｍに対して１５ｍｍ傾斜する角度にしている。この程度の傾斜角度であれば、落下した氷が前側にバウンドして手前側に移動し易すく奥側には移動し難い傾斜程度となる。
【００３７】
また、補強リブＲを設けることにより底面部の剛性を高めて氷の落下に対する強度を有し、消音効果も有するので、従来用いていた消音シートを用いる必要はなくなる。そのために、傾斜角度を大きくし過ぎることなく落下する氷がバウンドし易くなると共に滑り易くなって、貯氷量を維持しながら落下する氷を手前側に移動し易くできる。
【００３８】
補強リブＲは、底面の裏側の周囲に突出する枠リブＲａと、枠リブＲａの左右を連結する横桟リブＲｂ（Ｒｂ１〜Ｒｂｎ）とを有する。枠リブＲａは図６に示すように、貯氷容器２７の本体枠２７ａの底部を枠状に囲む補強リブＲであり、横桟リブＲｂは、枠リブの左右を連結する補強リブＲであって、この枠リブＲａと横桟リブＲｂを備えた補強リブＲを介して、貯氷容器２７の剛性と強度を高めることができ、消音効果も発揮する。
【００３９】
製氷皿２５は貯氷容器２７の奥側に氷を落下させる位置に配設されており、貯氷容器２７に落下する氷は、奥側から中間部領域までの傾斜した底面２７ｂに落下する。従って、傾斜した底面２７ｂに落下した氷は手前側に向けてバウンドすると共に、扉の開閉操作時には、一旦、手前側に貯留された氷が奥側に移動し難くなって、手前側に有効的に貯留される構成となる。
【００４０】
また、落下部位の底面２７ｂの高さが徐々に変化しているので、底面２７ｂに氷が落下する到達時間に微妙な差異が生じて、衝撃音を分散させることができる。また、貯氷容器２７の奥側が高くなっているので、最初に底面２７ｂに落下して叩く部位を、冷蔵庫の扉から最も遠い位置で発生させることになり、衝撃音が扉側に伝わりにくくなる効果も発揮する。
【００４１】
さらに、底部２７ｃに設ける補強リブＲ（Ｒａ、Ｒｂ）を介して、底面部の剛性と強度を高くできると共に貯氷容器２７のケース強度を高めることができ、衝撃音を低減して消音効果を発揮する。
【００４２】
補強リブＲ（Ｒａ、Ｒｂ）の高さは、底面２７ｂの傾斜に応じて変えるとよい。すなわち、奥側が高く手前側が低くなるようにして、その最下面が略水平になるようにするとよい。従って、枠リブＲａも横桟リブＲｂ（Ｒｂ１〜Ｒｂｎ）も奥側が高くなっており、氷が直接落下する部位の剛性と強度をより高くすることができ、消音効果も有効に発揮できる。
【００４３】
横桟リブＲｂ（Ｒｂ１〜Ｒｂｎ）の配設ピッチは同じでもよいが、異ならせておくとさらに好ましい。そこで、横桟リブＲｂ（Ｒｂ１〜Ｒｂｎ）の配設ピッチを異ならせた実施形態を実施例２として説明する。
【００４４】
〈実施例２〉
図７を用いて実施例２について説明する。図７は、貯氷容器２７の底面図である。横桟リブＲｂは枠リブＲａの左右を連結する複数の横桟リブＲｂ１〜Ｒｂｎを有する。枠リブＲａは底部を枠状に囲む周囲リブであることが好ましいが、図に示すように、手前側が底面２７ｂと同一高さになるような形態であってもよい。
【００４５】
また、本実施形態は、この枠リブＲａの左右を連結する複数の横桟リブＲｂ１〜Ｒｂｎの間隔（配設ピッチＰ１、Ｐ２〜Ｐｎ）を異ならせたものである。すなわち、Ｐ１＞Ｐ２＞・・・＞Ｐｎ、もしくは、Ｐ１＜Ｐ２＜・・・＜Ｐｎ、とする。
【００４６】
Ｐ１＞Ｐ２＞・・・＞Ｐｎとするか、Ｐ１＜Ｐ２＜・・・＜Ｐｎとするかは、落下する氷の形状や大きさ、氷の落下位置、などに応じて氷が落下する衝撃音が扉側に伝わりにくくなる形態を選択するとよい。
【００４７】
これは、横桟リブＲｂが等間隔の場合、容器底面が同じ共振周波数を持つ面が複数個できるため、氷の落ちるスピードや氷の大きさによっては、容器底面の大部分で共振して衝撃音が大きくなるからである。そこで、落下する部位に応じて共振周波数が異なるような配設ピッチにして横桟リブＲｂ（Ｒｂ１〜Ｒｂｎ）を配置することが好ましい。
【００４８】
また、横桟リブＲｂ（Ｒｂ１〜Ｒｂｎ）の配設ピッチを異ならせることにより音程も変え、音程を散らすことができるので、氷が落下する際の衝撃音を和らげることや抑制することが可能になる。
【００４９】
氷が落下する部位の音程を変える方法としては横桟リブＲｂ（Ｒｂ１〜Ｒｂｎ）の配設ピッチを異ならせること以外に、容器底面の板厚を変えることも想定されるので、容器底面の板厚を変えた実施形態を、図８を用いて実施例３として説明する。図８は、貯氷容器２７の要部拡大断面図である。
【００５０】
〈実施例３〉
例えば、図８に示すように貯氷容器２７の底面２７ｂの上面の傾斜角度は維持したまま、下面の傾斜角度を変えて底面２７ｂ部の板厚を変えるとよい。
【００５１】
すなわち、最も奥側の配設ピッチＰ１部分の板厚ｔ１を最も厚くし、その一つ手前側の配設ピッチＰ２部分の板厚ｔ２を板厚ｔ１よりも薄くし、さらに、配設ピッチＰ３部分の板厚ｔ３を板厚ｔ２よりも薄く、配設ピッチＰ４部分の板厚ｔ４を板厚ｔ３よりも薄くする。
【００５２】
例えば、硬質樹脂成形品から成る貯氷容器２７の本体枠２７ａの基準板厚が２．０ｍｍのときに、最も薄い底面部の板厚ｔを２．０ｍｍとして、徐々に厚くして、最も厚い板厚ｔ１を３．０ｍｍ程度にするとよい。
【００５３】
上記したように、底面２７ｂ部の板厚を変えることでも、氷が落下する際に生じる衝撃音の音程を散らすことができる。また、基準板厚よりも厚い底面部を設けることにより、底面部の剛性と強度をさらに高くして、消音効果も発揮できる。
【００５４】
上記で説明した実施例１〜実施例３を組み合わせて採用してもよいことは明らかである。すなわち、実施例１と実施例２を組み合わせて、底面２７ｂを傾斜させて補強リブＲ（Ｒａ、Ｒｂ）を設け、横桟リブＲｂ（Ｒｂ１〜Ｒｂｎ）の高さを変えると共に、横桟リブＲｂ（Ｒｂ１〜Ｒｂｎ）の配設ピッチ（間隔）を変えることにより、氷が落下する際の衝撃音の抑制と音程を散らすための調整範囲を拡大できる。
【００５５】
また、実施例１と実施例３を組み合わせて、底面２７ｂを傾斜させて補強リブＲ（Ｒａ、Ｒｂ）を設け、横桟リブＲｂ（Ｒｂ１〜Ｒｂｎ）の高さを変えると共に、底面２７ｂ部の板厚を変えることにより、氷が落下する際の衝撃音の抑制と音程を散らすための調整範囲を拡大できる。
【００５６】
また、実施例１と実施例２と実施例３を組み合わせて、底面２７ｂを傾斜させて補強リブＲ（Ｒａ、Ｒｂ）を設け、横桟リブＲｂ（Ｒｂ１〜Ｒｂｎ）の高さを変えると共に、横桟リブＲｂ（Ｒｂ１〜Ｒｂｎ）の配設ピッチ（間隔）を変え、さらに、底面２７ｂ部の板厚を変えることにより、氷が落下する際の衝撃音の抑制と音程を散らすための調整範囲を拡大できる。
【００５７】
上記したように、本発明に係る冷蔵庫１は、製氷装置２０を備えた冷蔵庫１であって、製氷装置２０は貯水タンク２１と製氷皿２５と貯氷容器２７と、製氷皿２５を反転して捻ることにより製氷された氷を貯氷容器２７に落下させる離氷装置２３を有し、前記貯氷容器２７は、冷蔵庫本体２の奥側から手前側に向けて下向する方向に傾斜した底面２７ｂと、該底面の裏側に補強リブＲ（Ｒａ、Ｒｂ）を設けた底部２７ｃを備えたことを特徴としている。
【００５８】
この構成によると、貯氷容器２７の底面２７ｂが奥側が浅く手前側が深くなるように傾斜しているので、貯氷容器２７に落下する氷は、手前側に向かうようにバウンドする。すなわち、奥側の氷が手前側に跳ね返るので、手前側の氷は、貯氷容器２７の底面２７ｂには直接的には当接せずに奥側から跳ねた氷に当接する可能性が大きくなって、大きな落下音は生じない構成となる。また、落下した氷は前側にバウンドするので、貯氷容器２の前側に有効に貯氷されて、十分な貯氷量を発揮でき視認容易にもなる。また、底部２７ｃに設ける補強リブＲ（Ｒａ、Ｒｂ）を介して、底面２７ｂの強度を高めると共に消音効果を発揮する。従って、本発明によれば、十分な量の氷を貯氷でき、製氷皿２５から落下する際の音を小さくできて、貯氷された氷を視認容易な貯氷容器２７を備えた冷蔵庫１を得ることができる。
【００５９】
また本発明は、上記構成の冷蔵庫１において、前記補強リブＲは、底面２７ｂの裏側の周囲に突出する枠リブＲａと、枠リブＲａの左右を連結する横桟リブＲｂとを有する。この構成によると、貯氷容器の強度を高めることができ、消音効果も発揮できる。
【００６０】
また本発明は、上記構成の冷蔵庫１において、前記横桟リブＲｂ（Ｒｂ１〜Ｒｂｎ）は、前記底部２７ｃの傾斜部の奥側から手前側に向けて複数設けられており、その高さが奥側に向かうにつれて高くなっている。この構成によると、氷が落下する際の衝撃音の周波数をばらつかせて落下音の増幅を抑制することにより消音効果を発揮する。
【００６１】
また本発明は、上記構成の冷蔵庫１において、前記横桟リブＲｂ（Ｒｂ１〜Ｒｂｎ）は、前記底部の傾斜部の奥側から手前側に向けて間隔（配設ピッチＰ１〜Ｐｎ）を変えて複数設けられている。この構成によると、氷が落下する際の衝撃音の音程をずらすことができて消音効果を発揮する。
【００６２】
また本発明は、上記構成の冷蔵庫１において、前記底面部の厚みを変えて、奥側で厚く手前側で薄くしている。この構成によると、底面部の厚みを変えることでも氷が落下する際の衝撃音の音程をずらすことができ、より効果的な消音効果を発揮できる。
【００６３】
上記したように本発明によれば、十分な量の氷を貯氷でき、製氷皿２５から落下する際の音を小さくできて、貯氷された氷を視認容易な貯氷容器２７を備えた冷蔵庫１を得ることができる。
【産業上の利用可能性】
【００６４】
そのために、本発明に係る冷蔵庫は、製氷機を備えると共に、貯氷された氷を確認容易とし、氷が落下する際の衝撃音を小さくできることが求められる冷蔵庫に好適に利用可能となる。
【符号の説明】
【００６５】
１    冷蔵庫
２    冷蔵庫本体
３    冷蔵室
４    冷凍室
４Ａ    第１冷凍室（製氷室）
２０    製氷装置
２１    貯水タンク
２３    離氷装置
２５    製氷皿
２７    貯氷容器
２７ｂ  底面
２７ｃ  底部
Ｒ    補強リブ
Ｒａ  枠リブ
Ｒｂ  横桟リブ
Ｐ１〜Ｐｎ  配設ピッチ（間隔）
【図１】
0006430211.tif 000002
【図２】
0006430211.tif 000003
【図３】
0006430211.tif 000004
【図４】
0006430211.tif 000005
【図５】
0006430211.tif 000006
【図６】
0006430211.tif 000007
【図７】
0006430211.tif 000008
【図８】
0006430211.tif 000009